(57)【要約】【課題】返信する場合に切断用具を用いずに往信部と返信部とを切り離すことができる往復はがきを提供することを目的とする。【解決手段】往信部１１と返信部１２との間にミシン目２０が形成されていることから、往信部１１と返信部１２とを容易に切り離すことができる。【選択図】図１
0003199473.tif 000002
【実用新案登録請求の範囲】
【請求項１】
往信部と返信部との間にミシン目が形成されていることを特徴とする往復はがき。
【請求項２】
前記ミシン目の長さに占める、溝の合計長さと、溝間の隙間の合計長さとの比率が、郵送の最中に切り離されない一方、手で切り離すことができる比率であることを特徴とする請求項１に記載の往復はがき。
【考案の詳細な説明】
【技術分野】
【０００１】
本考案は、往復はがきに関するものである。
【背景技術】
【０００２】
はがきには、往信部の長辺と返信部の長辺とを連続させた往復はがきがある。往復はがきは、往信時に往信部の宛名面が表に出るように二つに折って送信し、返信時に返信部のみを送信するものである。特許文献１には、発信用葉書部と返信用葉書部とに、再使用可能な宛名シートの貼着部を設けた往復はがきが開示されている。
【先行技術文献】
【特許文献】
【０００３】
【特許文献１】実用新案登録第３０４１９４０号公報
【考案の概要】
【考案が解決しようとする課題】
【０００４】
しかしながら、このような往復はがきは、返信時に返信部のみを送信するために、鋏等の切断用具を用いて往復はがきを半分に切らなければならず、返信する場合に手間が掛かってしまうという問題があった。
本考案は、上述したような問題点に鑑みてなされたものであり、返信する場合に切断用具を用いずに往信部と返信部とを切り離すことができる往復はがきを提供することを目的とする。
【課題を解決するための手段】
【０００５】
本考案による往復はがきは、往信部と返信部との間にミシン目が形成されていることを特徴とする。
また、前記ミシン目の長さに占める、溝の合計長さと、溝間の隙間の合計長さとの比率が、郵送の最中に切り離されない一方、手で切り離すことができる比率であることを特徴とする。
【考案の効果】
【０００６】
本考案によれば、往信部と返信部との間にミシン目を形成したことから、ミシン目に沿って手で切り離すことで切断用具を用いずに往信部と返信部とを容易に切り離すことができる。
【図面の簡単な説明】
【０００７】
【図１】本実施形態の往復はがきを示す図である。
【図２】往復はがきにミシン目を形成する方法を示す図である。
【考案を実施するための形態】
【０００８】
以下、本考案に係る実施形態の往復はがきについて図面を参照して説明する。
図１は、本実施形態の往復はがき１０を示す図である。
往復はがき１０は、往信部１１と返信部１２とを有し、長方形の紙で構成される。往復部１１および返信部１２は、それぞれ長辺１４．８ｃｍ、短辺１０ｃｍの長方形であり、往復部１１および返信部１２の長辺同士で連続している。図１は、往信部１１の裏面（情報を記載する面）と、返信部１２の表面（宛先を記載する面）とが表れる一方側紙面１０ａである。一方、図示を省略するが、図１の反対側の面は、往信部１１の表面と、返信部１２の裏面とが表れる他方側紙面１０ｂである。
【０００９】
本実施形態の往復はがき１０は、往復はがき１０を二分する位置に直線状のミシン目２０が形成される。具体的には、往復部１１と返信部１２との間（境界）にミシン目２０が形成される。
【００１０】
本実施形態のミシン目２０は、溝２１が間隔を空けて連続して直線状に形成される。このような溝２１によって、ミシン目２０は点線状に形成される。また、ミシン目２０は、点線状に限られず、一点鎖線あるいは二点鎖線等、種々の形態を採用することができる。
図２は、往復はがき１０にミシン目２０を形成する方法の一例を示す図である。ここでは、図示しないミシン目加工機のカッター３０が他方側紙面１０ｂ側から往復はがき１０に当接しながら回転することで、ミシン目２０が形成される。
【００１１】
次に、本実施形態の往復はがき１０の作用について説明する。
まず、発信者は、往復はがき１０の往信部１１の表面および裏面と、必要に応じて返信部１２の表面および裏面とに記入したり印字したりする。その後、発信者は、往信部１１の表面が露出し、返信部１２の表面が内側に隠れるように往復はがき１０を折り曲げる。このとき、発信者は、ミシン目２０に沿って折り曲げることで、往復はがき１０を二分する位置で容易に折り曲げることができる。その後、発信者は、折り曲げた往復はがき１０を投函する。
【００１２】
次に、往復はがき１０を受信した返信者は、必要に応じて返信部１２の表面および裏面に記入したり印字したりする。その後、返信者は、往信部１１と返信部１２とを切り離す。このとき、返信者は、ミシン目２０に沿って切り離すことで、切断用具を用いずに手で簡単に往信部１１と返信部１２とを切り離すことができる。その後、返信者は、切り離した返信部１２を投函する。
【００１３】
このように、本実施形態によれば、往信部１１と返信部１２との間にミシン目２０を形成したことから、ミシン目２０に沿って切り離すことで切断用具を用いずに容易に往信部１１と返信部１２とを切り離すことができる。
【００１４】
なお、ミシン目２０の長さに占める溝２１の合計長さが長すぎると、郵送の最中に往信部１１と返信部１２とが切り離されてしまう虞がある。一方、ミシン目２０に占める溝２１の合計長さが短すぎると逆に返信者が手で切り離すことが困難になってしまう虞がある。したがって、ミシン目２０の長さに占める、溝２１の合計長さと、溝２１間の隙間の合計長さとの比率は、１：０．４〜１：０．６であることが好ましい。
【００１５】
また、溝２１は、往復はがき１０を貫通してもよく、貫通しなくてもよい。溝２１が貫通していない場合には、郵送の最中に往信部１１と返信部１２とが容易に切り離されてしまうことを防止することができる。
また、ミシン目２０は、カッター３０が他方側紙面１０ｂ側から往復はがき１０に当接しながら回転することで、一方側紙面１０ａよりも他方側紙面１０ｂ側の溝２１の幅寸法（溝方向と直交する方向）が大きくなり、往復はがき１０を容易に折り曲げることができる。ただし、この場合に限られず、一方側紙面１０ａ側からミシン目２０を形成してもよい。
【００１６】
以上、本考案を上述した実施形態により説明したが、本考案は上述した実施形態に限定されるものではなく、本考案の範囲内で変更等が可能である。
なお、返信者が容易に切り離せることが理解できるように、例えば「ミシン目で切った上で投函してください」等、ミシン目２０に沿って容易に切り離すことができる旨の表記をしてもよい。
【符号の説明】
【００１７】
１０：往復はがき  １１：往信部  １２：返信部  ２０：ミシン目  ２１：溝２１
【図１】
0003199473.tif 000003
【図２】
0003199473.tif 000004
【手続補正書】
【提出日】平成27年6月30日(2015.6.30)
【手続補正１】
【補正対象書類名】実用新案登録請求の範囲
【補正対象項目名】全文
【補正方法】変更
【補正の内容】
【実用新案登録請求の範囲】
【請求項１】
往信部と返信部との間にミシン目が形成されていることを特徴とする往復はがき。
【請求項２】
前記ミシン目の溝の合計長さと、前記ミシン目の溝間の隙間の合計長さとの比率が、１：０．４〜１：０．６であることを特徴とする請求項１に記載の往復はがき。
【手続補正２】
【補正対象書類名】明細書
【補正対象項目名】０００５
【補正方法】変更
【補正の内容】
【０００５】
本考案による往復はがきは、往信部と返信部との間にミシン目が形成されていることを特徴とする。
また、前記ミシン目の溝の合計長さと、前記ミシン目の溝間の隙間の合計長さとの比率が、１：０．４〜１：０．６であることを特徴とする。